(57)【特許請求の範囲】
【請求項１】
少なくとも１つの揮発性溶剤（Ｓ）を含む化粧製品を収容および塗布するための組立体（１）であって、
一部分については、塗布されるべき前記化粧製品（Ｐ）を収容することが意図されており、その自由縁部（１１）が開口部（１２）を区切っているリザーバ（１０）を形成する本体であって、前記リザーバの前記開口部を取り外し可能に閉じるために設けられた閉鎖部材（１４）を備えた本体と、
その他の部分については、前記化粧製品の装填および塗布用の複数の空間（２５、２０３、２１３、２２３、２６３）を互いの間に画定している一組の突出する塗布要素（２４、２０２、２１２、２２２、２２４、２６１、３０２、３０３）を支持する、細長い主要本体（２３）を有するアプリケータ部材（２２、２０１、２１１、２２１、２３１、２４０、２５０、２６０、２７０、３００）を含むアプリケータ（２０）であって、前記アプリケータ部材が前記リザーバの内側に位置するとともに、前記リザーバ内に収容されることが意図された前記化粧製品に少なくとも部分的に接触可能となる、ピックアップ位置として知られる第１の位置と、前記アプリケータ部材が人体の一部と接触可能となる、塗布位置として知られる位置との間で動くことができる、アプリケータと、
を含み、前記化粧製品の装填および塗布用の前記空間全体として、連続気泡多孔質材料に吸収される前記揮発性溶剤の質量濃度と前記リザーバに含まれる前記化粧製品の前記揮発性溶剤の質量濃度との比率が１．３超であるように、前記化粧製品の装填および塗布用の空間のうちの少なくともいくつかは、前記化粧製品の活性成分に対して前記化粧製品の前記揮発性溶剤を主に且つ優先的に吸収することができる前記気泡多孔質材料から製造された少なくとも１つの表面によって区切られていることを特徴とする、収容および塗布用組立体（１）。
【請求項２】
前記アプリケータ（２０）は、前記リザーバの前記閉鎖部材（１４）に接続されることを特徴とする、請求項１に記載の収容および塗布用組立体（１）。
【請求項３】
前記リザーバ（１０）は、前記開口部（１２）の近くに配設されたワイプ部材（１６）を有し、前記ワイプ部材（１６）は、前記アプリケータが抜き取られるときに少なくとも前記アプリケータ（２０）の前記アプリケータ部材（２２）を拭くことができることを特徴とする、請求項１または２に記載の収容および塗布用組立体（１）。
【請求項４】
前記化粧製品の前記揮発性溶剤の一部を選択的に吸収することができる前記連続気泡多孔質材料は、フェルトであることを特徴とする、請求項１から３のいずれか一項に記載の収容および塗布用組立体（１）。
【請求項５】
前記塗布要素（２４、２７４、３０３）のうちの少なくともいくつかは、前記化粧製品の前記揮発性溶剤の一部を選択的に吸収することができる前記連続気泡多孔質材料から製造されていることを特徴とする、請求項１から４のいずれか一項に記載の収容および塗布用組立体（１）。
【請求項６】
前記アプリケータ部材（２０）の前記主要本体（２３）は、前記化粧製品の前記揮発性溶剤の一部を選択的に吸収することができる前記連続気泡多孔質材料から製造されていることを特徴とする、請求項１から４のいずれか一項に記載の収容および塗布用組立体（１）。
【請求項７】
前記塗布要素（２４）は、前記主要本体と一体的に製造されることを特徴とする、請求項６に記載の収容および塗布用組立体（１）。
【請求項８】
前記塗布要素（２０２、２１２、２２２、２２４、２６１）は、スリーブを形成する穿孔ホルダー（２０１、２１１、２２１、２３１、２４０、２５０、２６０）により支えられており、前記穿孔ホルダーの内側には、前記化粧製品の前記揮発性溶剤の一部を選択的に吸収することができる前記連続気泡多孔質材料（２０９）が配設されていることを特徴とする、請求項５に記載の収容および塗布用組立体（１）。
【請求項９】
支持体の穴が、前記塗布要素（２０２、２１２、２２２、２２４、２６１）の根元に配設されていることを特徴とする、請求項８に記載の収容および塗布用組立体（１）。
【請求項１０】
前記主要本体は、共にねじられた２本のストランド（３０１）から製造され、前記塗布要素（３０２、３０３）のうちの少なくともいくつかは、前記２本のストランド間に締め付けられていることを特徴とする、請求項１から５のいずれか一項に記載の収容および塗布用組立体（１）。
【請求項１１】
前記化粧製品（Ｐ）は、マスカラ、グロス、マニキュア液、およびファンデーションから選択されることを特徴とする、請求項１から１０のいずれか一項に記載の収容および塗布用組立体（１）。
【請求項１２】
化粧製品（Ｐ）を、ケラチン繊維に塗布する方法であって、
前記化粧製品を含む、請求項１から１１のいずれか一項に記載の収容および塗布用組立体（１）を提供するステップと、
前記化粧製品の前記揮発性溶剤の一部を選択的に吸収することができる前記連続気泡多孔質材料に前記揮発性溶剤を装填するのに十分な時間にわたり、前記アプリケータ部材（２２、２０１、２１１、２２１、２３１、２４０、２５０、２６０、２７０、３００）を前記化粧製品に少なくとも部分的に浸漬させるステップと、
前記収容および塗布用組立体を開けて、前記アプリケータ部材を前記リザーバ（１０）から取り出すステップと、
前記アプリケータ部材を用いて、前記化粧製品を人体の一部に塗布するステップであって、前記塗布するステップ中に、前記連続気泡多孔質材料内に貯蔵された前記揮発性溶剤が徐々に揮発する、前記塗布するステップと、
を含む、化粧製品を塗布する方法。
【請求項１３】
前記化粧製品への前記アプリケータ部材（２２、２０１、２１１、２２１、２３１、２４０、２５０、２６０、２７０、３００）の浸漬時間は、前記連続気泡多孔質材料を前記揮発性溶剤で充満させるのに十分であることを特徴とする、請求項１２に記載の化粧製品を塗布する方法。
【発明の詳細な説明】
【技術分野】
【０００１】
本発明は、少なくとも1つの揮発性溶剤を含む化粧製品を包装および塗布するための組立体に関する。
【０００２】
この包装および塗布用組立体は、より詳細には、化粧製品をケラチン繊維に塗布すること、特にマスカラをまつげに塗布することを目的としている。
【背景技術】
【０００３】
「化粧製品」という表現は、化粧製品に関する2009年11月30日付の欧州議会および理事会規則(EC)第1223/2009号に規定されるような任意の製品を意味するものと理解される。
【０００４】
マスカラなど、ケラチン繊維に塗布することが意図された化粧製品は、一般に、製品を濃くしてペースト状の粘度を与えるのに役立つ、ワックスおよび塗膜形成剤を含む。グロス、マニキュア、およびファンデーションなど、他の種類の化粧製品についても同様である。
【０００５】
このような化粧製品は、その塗布を可能にし容易にするため、化粧製品を流動化することが意図された揮発性溶剤と共に容器内に包装される。
【０００６】
この揮発性溶剤は、化粧製品が塗布されたケラチン繊維上にとどまるようには意図されていない。揮発性溶剤は、乾燥段階の間に製品から蒸発する。
【０００７】
マスカラの場合、最もよく使用される溶剤は、特に水とイソドデカンとを含み、イソドデカンは、一般にウォータープルーフマスカラに使用される。
【０００８】
化粧製品は、アプリケータによって塗布される。製品をケラチン繊維に塗布すること、具体的にはマスカラをまつげに塗布することが意図された、多くの化粧製品アプリケータが知られている。
【０００９】
一般に、アプリケータは、概ね細長い主要本体を含み、この主要本体は、突出する塗布要素を支持する。
【００１０】
塗布中、アプリケータには化粧製品が装填され、アプリケータを繊維と接触させて製品を前記繊維に付着させる。
【００１１】
実際には、溶剤は、化粧製品が空気にさらされるとすぐに、すなわち、容器が開けられ、塗布されるべき製品を支持するアプリケータが抜き取られるとすぐに、蒸発する。その結果、乾燥段階が塗布段階と同時に起こる。
【００１２】
化粧製品が塗布されるよう十分に流動性を保つ時間は、「遊び時間(playtime)」または塗布時間と示される。
【００１３】
この塗布時間は、特に、使用される溶剤の揮発性およびアプリケータ部材の構成に左右され、塗布要素に装填された製品が、塗布中に多かれ少なかれ空気にさらされることが可能になる。
【００１４】
塗布時間は、特に、使いやすさに関して、特に重要である。
【００１５】
具体的には、長い塗布時間により、使用者は、アプリケータを数回リザーバに戻して浸す必要なしに、化粧をするのにより多くの時間を割くことができる。
【００１６】
長い塗布時間により、アプリケータ部材上に乾いた製品のダマまたは塊が形成されるのを制限することも可能となる。
【発明の概要】
【発明が解決しようとする課題】
【００１７】
したがって、そのような化粧製品の塗布時間を増やすことが一般に求められている。
【００１８】
アプリケータ部材は複雑であり、かつまつげに種々の効果を及ぼすよう設計されているので、この必要性はいっそう重要である。具体的には、このようなアプリケータ部材は、主要本体に沿って不規則かつ特定の様式で配列された塗布要素を有する。具体的には、塗布されるべき、より多いまたは少ない量の製品を収容することが意図された、より高密度または低密度の領域を提供することが可能である。よって、これらの異なる領域は、周囲空気に別様にさらされ、その結果、種々の塗布時間または「遊び時間」を有し得る。
【００１９】
明らかに、化粧製品の塗布時間は、最も急速な蒸発作用(最も短い塗布時間)を有する領域に関して決定される。
【００２０】
塗布時間を増やすための1つの解決策は、化粧製品と接触しているリザーバの内側に配設される第1の端部と、製品を塗布するための端部を形成する第2の自由端部と、を有するアプリケータ部材を含むフェルトペンタイプの装置を提供することにある。このような装置では、化粧製品は、毛管作用によってアプリケータ部材を通って伝わり、そのため、アプリケータ部材には、化粧製品の塗布に必要な十分な割合の溶剤を含む新鮮な化粧製品が常に供給される。
【００２１】
しかしながら、このタイプのフェルトペン装置は、すべての化粧製品に適しているわけではない。特に濃い一部の化粧製品はこのようなアプリケータ部材を通って拡散することができないためである。これは、特にマスカラに当てはまる。
【課題を解決するための手段】
【００２２】
本発明は、これらの目的を達成することを目標とし、この目標に向けて、少なくとも1つの揮発性溶剤を含む化粧製品を包装および塗布するための組立体を提案するものであり、この包装および塗布用組立体は、一部分については、塗布されるべき化粧製品を収容することが意図されており、その自由縁部が開口部を区切っているリザーバを形成する本体であって、リザーバの開口部を取り外し可能に閉じるために設けられた閉鎖部材を備えた本体と、その他の部分については、化粧製品の装填および塗布用の複数の空間を互いの間に画定している一組の突出する塗布要素を支持する細長い主要本体を有するアプリケータ部材を含むアプリケータであって、アプリケータ部材がリザーバの内側に位置するとともに、リザーバ内に収容されることが意図された化粧製品に少なくとも部分的に接触可能となる、ピックアップ位置として知られる第1の位置と、アプリケータ部材が人体の一部と接触可能となる、塗布位置として知られる位置との間で動くことができる、アプリケータとを含み、この包装および塗布用組立体は、化粧製品の装填および塗布用の空間のうちの少なくともいくつかが、化粧製品の揮発性溶剤の一部を選択的に吸収することができる連続気泡多孔質材料(open-cell porous material)から製造された少なくとも1つの表面によって区切られていることを特徴とする。
【００２３】
化粧製品の揮発性溶剤の一部を選択的に吸収することができる多孔質材料は、化粧製品と接触させられると、化粧製品の活性成分と比べて、溶剤を主にかつ優先的に吸収する材料であると理解される。当然、少量の活性成分は、やはり吸収される可能性が高い。
【００２４】
本出願によれば、溶剤の吸収は、配合物中の溶剤の質量濃度と多孔質材料中の溶剤の質量濃度との比率が1.3超、好ましくは1.5超、いっそう好ましくは1.75超、またはさらに1.9超である場合に、選択的であると考えられる。
【００２５】
よって、50重量%の溶剤を含む化粧製品では、吸収は、吸収される液体中の溶剤の濃度が65%超(65%/50%>1.3)である場合に選択的であると考えられる。
【００２６】
よって、塗布要素のうちの少なくともいくつかの近くに位置し、化粧製品の揮発性溶剤の一部を選択的に吸収することができる連続気泡多孔質材料から製造された、自由表面を設けることによって、アプリケータ部材は、化粧製品に浸された閉鎖位置にある場合に、化粧製品の溶剤を吸収し、本質的にその溶剤が装填される。使用者の体の一部にとどまるように意図されたワックスおよび塗膜形成成分などの活性成分は、特に吸収されない。よって、これらの活性成分は、塗布に容易に利用可能なままである。
【００２７】
意外にも、塗布中、その塗布時間は大幅に増えたことが分かった。
【００２８】
いかなる理論にも拘束されることを望むものではないが、出願人は、溶剤を装填された多孔質材料が装填および塗布用の空間においてこの溶剤を次第に放出し、それにより、蒸発による化粧製品からの溶剤の損失をある程度補うことができると考える。
【００２９】
さらに具体的には、多孔質材料から溶剤が蒸発することは、装填および塗布用の空間において溶剤の分圧を維持するのに役立ち、それにより、製品からの溶剤の蒸発が制限される。さらに、装填された化粧製品が多孔質材料と接触している場合、溶剤は、製品からの溶剤の損失を補うために多孔質材料から拡散され得、それにより化粧製品中の溶剤の濃度の低下を制限する。
【００３０】
好ましくは、アプリケータは、リザーバの閉鎖部材に接続される。
【００３１】
有利なことに、リザーバは、開口部の近くに配設されたワイプ部材を有し、ワイプ部材は、アプリケータが抜き取られるときに少なくともアプリケータのアプリケータ部材を拭くことができる。
【００３２】
好適な一実施形態によれば、化粧製品の揮発性溶剤の一部を選択的に吸収することができる連続気泡多孔質材料は、フェルト、特に、ナイロン、ポリエステル、ポリアクリル酸(polyacrylics)、ポリオレフィン、SEBS、ポリアミド、およびポリアセタールから選択される繊維から製造されたフェルトである。
【００３３】
有利なことに、塗布要素のうちの少なくともいくつかは、化粧製品の揮発性溶剤の一部を選択的に吸収することができる連続気泡多孔質材料から製造されている。よって、塗布要素を多孔質材料から製造することにより、装填される化粧製品は、溶剤交換表面と直接接触し、それにより、塗布時間がさらに改善される。
【００３４】
特定の一実施形態によれば、アプリケータ部材の主要本体は、化粧製品の揮発性溶剤の一部を選択的に吸収することができる連続気泡多孔質材料から製造されている。よって、主要本体を多孔質材料から製造することにより、大量の溶剤をその本体に保管することができる。さらに、溶剤は、主要本体のかなりの長さに沿って多孔質材料を通って拡散することができる。この結果、用途に応じた溶剤の分布および拡散が改善される。
【００３５】
有利なことに、塗布要素は、主要本体と一体的に製造され、特にアプリケータ部材の主要本体内に機械加工されている。塗布要素を成型することも可能である。
【００３６】
あるいは、塗布要素は、スリーブを形成する穿孔ホルダーにより支えられており、穿孔ホルダーの内側には、化粧製品の揮発性溶剤の一部を選択的に吸収することができる連続気泡多孔質材料が配設されている。よって、具体的には、塗布要素は、例えばプラスチック材料から容易に作られ得る。
【００３７】
好ましくは、支持体の穴は、塗布要素の根元に配設されている。
【００３８】
別の特定の実施形態によれば、主要本体は、共にねじられた2本のストランドから製造され、塗布要素のうちの少なくともいくつかは、これらの2本のストランド間に締め付けられている。具体的には、塗布要素は、特に毛またはフィラメントを含むことができる。
【００３９】
好ましくは、化粧製品は、マスカラ、グロス、マニキュア液、およびファンデーションから選択される。
【００４０】
本発明は、化粧製品、特にマスカラを、ケラチン繊維に、具体的にはまつげまたは眉毛に塗布する方法にも関連し、この方法は、
化粧製品を含む、本発明による包装および塗布用組立体を提供するステップと、
化粧製品の揮発性溶剤の一部を選択的に吸収することができる連続気泡多孔質材料にその溶剤を装填するのに十分な時間にわたり、アプリケータ部材を化粧製品に少なくとも部分的に浸漬させるステップと、
包装および塗布用組立体を開けて、アプリケータ部材をリザーバから取り出すステップと、
アプリケータ部材を用いて、化粧製品を人体の一部に、具体的にはまつげまたは眉毛などのケラチン繊維に塗布するステップと
を含む。
【００４１】
好ましくは、化粧製品へのアプリケータ部材の浸漬時間は、多孔質材料を溶剤で充満させるのに十分である。
【００４２】
本発明は、添付図面に関する以下の詳細な説明を読めば、よりよく理解されるであろう。
【図面の簡単な説明】
【００４３】
【図１】アプリケータ部材が閉鎖構成にある、第1の実施形態による包装および塗布用組立体の概略図である。
【図２】塗布構成にある、図1の包装および塗布用組立体の概略図である。
【図３】本発明による包装および塗布用組立体のためのアプリケータの変形形態の実施形態の図である。
【図４】図3のアプリケータの拡大部分概略図である。
【図５ａ】さらなる変形形態の実施形態の図である。
【図５ｂ】さらなる変形形態の実施形態の図である。
【図６】さらなる変形形態の実施形態の図である。
【図７ａ】さらなる変形形態の実施形態の図である。
【図７ｂ】さらなる変形形態の実施形態の図である。
【図７ｃ】さらなる変形形態の実施形態の図である。
【図８】さらなる変形形態の実施形態の図である。
【図９】さらなる変形形態の実施形態の図である。
【図１０】さらなる変形形態の実施形態の図である。
【図１１】さらなる変形形態の実施形態の図である。
【図１２ａ】ねじりコアブラシタイプの実施形態を示す図である。
【図１２ｂ】ねじりコアブラシタイプの実施形態を示す図である。
【発明を実施するための形態】
【００４４】
図1および図2は、少なくとも1つの揮発性溶剤Sを含む化粧製品Pの包装および塗布用組立体1を示す。
【００４５】
さらに具体的には、化粧製品Pは、人体の一部に塗布され、配合物Fを作り上げることが意図された一組の成分を含む。これらの成分は、特にワックスおよび塗膜形成剤を含む。
【００４６】
配合物Fの一組の成分は、揮発性溶剤Sの存在下で包装される。この場合、包装および塗布用組立体1は、水性溶剤または有機溶剤中に包装されたマスカラを収容することが意図されている。
【００４７】
包装および塗布用組立体1は、化粧製品Pを収容することが意図されており、自由縁部11が開口部12を画定しているリザーバ10を形成する本体を含む。さらに具体的には、開口部12は、リザーバ10のネック13の一端部に位置している。
【００４８】
リザーバ10は、このリザーバ10の開口部12を取り外し可能に閉じるために設けられた取り外し可能な閉鎖部材14を備えている。この場合、閉鎖部材14は、ネック13と係合することができるキャップの形態である。
【００４９】
描かれた実施形態によると、キャップ14は、内部シール15を含み、ネック13に相補的なスリーブまたはシースを形成する。代わりに、ネック13上の雄ねじと係合することができる雌ねじを有するねじ蓋を、従来は設けることができた。
【００５０】
包装および塗布用組立体1は、閉鎖部材14に接続された第1の端部と、アプリケータ部材22に接続された第2の端部と、を有するステム21を有するアプリケータ20を含む。
【００５１】
閉鎖部材14は、アプリケータ20をつかむための部材を形成する。
【００５２】
アプリケータ部材22は、一組の突出する塗布要素24を支持する細長い主要本体23を含む。塗布要素24は、化粧製品Pの装填および塗布用の複数の空間25を互いの間に画定している。
【００５３】
閉鎖部材14によって、アプリケータ20は、アプリケータ部材22がリザーバ10の内側に位置し、かつ化粧製品Pと少なくとも部分的に接触させられ得る、ピックアップ位置として知られる第1の位置(図1)と、アプリケータ部材22が人体の一部と接触させられ得る、塗布位置として知られる第2の位置(図2)との間で動くことができる。
【００５４】
さらに、リザーバ10は、開口部12の近くに配設されたワイプ部材16を備えており、ワイプ部材16は、アプリケータ20が抜き取られるときに少なくともアプリケータ20のアプリケータ部材22を拭くことができる。より具体的には、ワイプ部材16は、ネック13の内側に配設されている。
【００５５】
本出願によれば、化粧製品Pの装填および塗布用の空間25は、化粧製品の揮発性溶剤の一部を選択的に吸収することができる連続気泡多孔質材料から製造された、少なくとも1つの表面によって画定されている。
【００５６】
図1および図2に概略的に描かれた実施形態によれば、アプリケータ部材22は、揮発性溶剤Sの一部を選択的に吸収することができる連続気泡多孔質材料で作られている。
【００５７】
より具体的には、アプリケータ部材22は、塗布要素24が内部に機械加工される、細長い主要本体23を形成する連続気泡多孔質材料のステムまたはバトンの形態である。
【００５８】
あるいは、成型、圧縮によって、または任意の他の既知の技術によって、塗布要素を得ることができる。
【００５９】
この場合、塗布要素24は、装填および塗布用の空間25を形成する凹部と互い違いになる、周囲の歯の形態である。
【００６０】
よって、塗布要素24は、主要本体23と一体である。
【００６１】
よって、アプリケータ部材22の主要本体23は、少なくとも一部が、または全体が、化粧製品の揮発性溶剤の一部を選択的に吸収することができる連続気泡多孔質材料で構成される。
【００６２】
よって、塗布要素24も、少なくとも一部が、または全体が、化粧製品の揮発性溶剤の一部を選択的に吸収することができる連続気泡多孔質材料で構成される。
【００６３】
化粧製品の揮発性溶剤の一部を選択的に吸収することができる連続気泡多孔質材料は、フェルト、特に、ナイロン、ポリエステル、ポリアクリル酸、ポリオレフィン、SEBS、ポリアミド、ポリアセタール、またはそれらの混合物から選択される繊維から製造されたフェルトである。
【００６４】
包装および塗布用組立体1の使用の原理は以下のとおりである。
【００６５】
閉鎖位置では、キャップ14は、ネック13に接続され、リザーバ10を閉じる。アプリケータ部材22は、リザーバ10の内側に位置しており、化粧製品Pに少なくとも部分的に浸る。
【００６６】
この浸漬中に、化粧製品の揮発性溶剤の一部を選択的に吸収することができる連続気泡多孔質材料は、化粧製品と少なくとも部分的に接触している。よって、この多孔質材料は、好ましくは溶剤の一部を吸収し、浸漬時間に応じて、おそらくは充満するまで、その溶剤を装填される。
【００６７】
浸漬中、装填および塗布用の空間25も、塗布されるべき化粧製品P、特に配合物Fでいっぱいになる。
【００６８】
塗布を実行するために、使用者は、キャップ14を取り外すことにより包装および塗布用組立体を開け、アプリケータ22を抜き取る。
【００６９】
抜き取り中、アプリケータ22は、余分な化粧製品を除去するワイプ部材16を通り抜ける。化粧製品Pは、主に、装填および塗布用の空間25内に保持される。
【００７０】
使用者は次に、化粧製品Pを、特に自分のまつげに塗布することができ、この塗布は、まつげを塗布要素24間に通すことによる。
【００７１】
前述のとおり、リザーバが開けられた瞬間から、また塗布中に、溶剤は蒸発し、装填および塗布用の空間25に装填された化粧製品Pが乾く。よって、多孔質材料中に溶剤Sが存在することにより、塗布要素24上で化粧製品が乾くのを制限するための溶剤Sの蓄えを形成することが可能となる。
【００７２】
これにより、化粧製品Pの配合物Fが乾き過ぎる前に可能となる塗布経路(application passage)の数を大幅に増やすことが可能となる。塗布時間または「遊び時間」は、これにより大幅に増える。
【００７３】
図3および図4は、アプリケータ部材の変形形態の実施形態を示す。
【００７４】
アプリケータ部材200は、スリーブを形成するホルダー201の形態で製造されている。この場合、ホルダー201は、円筒形の断面を有するスリーブである。スリーブについては、他の断面、特に三角形、楕円などが考えられる。
【００７５】
スリーブは、化粧製品の揮発性溶剤の一部を選択的に吸収することができる連続気泡多孔質材料で作られた、対応する形状を有するバトン209を受容することが意図されている。
【００７６】
ホルダー201は、塗布要素を形成する一組の歯202を画定するように穿孔されている。よって、ホルダー201は、塗布用コームを形成する。
【００７７】
さらに具体的には、歯202は、部分的に辺縁にあり、少なくとも縦1列の平行な歯として配設されている。この場合、歯202は、直径方向に対向する縦2列に配設されている。
【００７８】
したがって、歯間の空間は、支持体の少なくとも1つの開口部203と共に、化粧製品Pの装填および塗布用の空間を画定する。
【００７９】
各開口部203は、歯202の根元において、ホルダー201の内側に配設された多孔質材料の表面を解放する。この表面は、多孔質材料内に装填されることが意図された溶剤Sの交換、吸収、および放出のための表面を形成する。
【００８０】
ホルダー201/スリーブは、閉じた遠位端部212を有する。あるいは、遠位端部は、開いていてよく、これにより追加の装填表面を解放する。
【００８１】
図5a〜図5b、図6、および図7a〜図7cは、スリーブを形成するホルダーのいくつかの変形形態を示す。
【００８２】
図5aおよび図5bは、塗布要素を形成する一組のスパイク212を支持するスリーブを形成するホルダー211を示す。これらのスパイク212の間には、ホルダー211の内側に配設される多孔質材料のバトン209へのアクセスを解放する貫通穴213が形成される。
【００８３】
図6は、ホルダー221に沿って分布した一組の周辺リブ222を有するホルダー221を含むアプリケータ部材220を示す。好ましくは、リブ222は、実質的に互いに平行である。開口部223は、ホルダー221の周辺リブ222間に形成される。
【００８４】
さらに、リブ222は、1つまたは複数のスパイク224を支持する。
【００８５】
この場合、ホルダー221は、実質的に平坦な2つの対向面を有する概ね楕円形の断面を有する。スパイク224は、平坦な側面上、具体的には、それぞれの平坦な面上に配設される。
【００８６】
図7aおよび図7bは、ホルダー231を示し、ホルダー231は、ホルダー231が楕円形の断面を有することを除き、ホルダー201に類似している。
【００８７】
図7bによると、ホルダー231、および恐らくはそれに付随するステムは、長さ方向に1つまたは複数の湾曲部を有し得る。
【００８８】
図8および図9は、それぞれ円形および三角形の断面を有するホルダー240、250を示す。
【００８９】
図10は、螺旋形のホルダー260を示す。さらに具体的には、ホルダー260は、螺旋形のリブ261を形成し、同様に螺旋形の開口部263を有する。螺旋形の開口部は、アプリケータ部材の長さに沿った多孔質材料のバトン209へのアクセスのための実質的に連続した表面を解放する。
【００９０】
変形形態では、開口部は、1つまたは複数の長さ方向溝の形態であってよい。
【００９１】
図11は、螺旋の形態をしたさらに別のホルダー270を示し、この上で、多孔質材料の1つまたは複数のバトン274がねじられている。
【００９２】
異なる支持体の特徴は、明らかに、必要に応じて互いに組み合わせられ得る。
【００９３】
ホルダー、具体的には開口部は、任意の許容可能な方法によって、特に、刻印(impression)によって(例えば、高温状態において、レリーフで)、化学エッチング、レーザー、型彫、または熱処理によって、作られ得る。
【００９４】
好ましくは、ホルダーは、プラスチック材料で、特に熱可塑性材料で、作られる。あるいは、ホルダーは、特にホルダーを腐食から保護するために、金属、例えば、アルミニウム、鋼、ステンレス鋼で作られてもよい。
【００９５】
具体的には、ホルダーは、成型、オーバーモールド、押出または共押出、スタンピングまたは機械加工によって、得ることができる。
【００９６】
図12aおよび図12bは、本発明によるアプリケータ部材の別の実施形態を示す。
【００９７】
アプリケータ部材300は、ねじりコアブラシと同じように作られている。このようなブラシは、概して2本のストランド301、特に金属ストランドから製造され、これらのストランドの間に一組の繊維または毛302が配設され、これらの毛は、2本のストランド301を共にねじることによって締め付けられている。
【００９８】
この場合、2本のストランド301は、U字型に折りたたまれた1本のワイヤから得られる。
【００９９】
毛302は、一般に合成繊維、特にナイロンであり、具体的には吸収剤ではない。毛302は、塗布要素を形成し、化粧製品Pの装填および塗布用の空間を互いの間に画定する。
【０１００】
本出願によれば、多孔質材料は、フィラメント303の形態で製造される。フィラメントは、ストランド301の間で、毛302の間に配設される。より具体的には、フィラメントは、毛302と互い違いに配設される。当然、フィラメント303は、何らかの他の方法で配設されてよく、特に複数組の数本の毛302と互い違いになっていてよい。
【０１０１】
よって、この場合、フィラメントは、塗布要素も形成する。当然、ブラシは、単にフィラメント303を含むだけであってもよい。
【０１０２】
フィラメント303は、具体的には、フェルト、特に前述した材料で作られたフェルト、のフィラメントである。
【符号の説明】
【０１０３】
1  包装および塗布用組立体
10  リザーバ
11  自由縁部
12  開口部
13  ネック
14  閉鎖部材
15  内部シール
16  ワイプ部材
20  アプリケータ
21  ステム
22  アプリケータ部材
23  主要本体
24  塗布要素
25  空間
200  アプリケータ部材
201  ホルダー
202  歯
203  開口部
209  バトン
211  ホルダー
212  遠位端部
212  スパイク
213  貫通穴
221  ホルダー
222  周辺リブ
223  開口部
224  スパイク
231  ホルダー
240  ホルダー
250  ホルダー
260  ホルダー
261  螺旋形のリブ
263  開口部
270  ホルダー
274  バトン
300  アプリケータ部材
301  ストランド
302  毛
303  フィラメント
F  配合物
P  化粧製品
S  揮発性溶剤
【図１】
0006695903.tif 000002
【図２】
0006695903.tif 000003
【図３】
0006695903.tif 000004
【図４】
0006695903.tif 000005
【図５ａ】
0006695903.tif 000006
【図５ｂ】
0006695903.tif 000007
【図６】
0006695903.tif 000008
【図７ａ】
0006695903.tif 000009
【図７ｂ】
0006695903.tif 000010
【図８】
0006695903.tif 000011
【図９】
0006695903.tif 000012
【図１０】
0006695903.tif 000013
【図１１】
0006695903.tif 000014
【図１２ａ】
0006695903.tif 000015
【図１２ｂ】
0006695903.tif 000016